(57)【要約】【目的】  放送局側でスーパーインポーズされた文字がディスプレイ上では小さくて見づらいといった不満を解消できる放送受信装置を提供する。【構成】  ＯＣＲ処理部１３ａは、スーパーインポーズ領域判定処理及びスーパーインポーズされた文字の認識処理を行う。スーパーインポーズ領域判定処理では、受信映像データについてその周辺２０ドット幅で、ドット間の輝度差や一定輝度以上のドットの集まり具合などを検出する。ＯＣＲ処理部１３ａは、文字が存在すると推定した領域に対して光学的文字認識処理を行い、生成したテキストコードをＣＰＵ１３に渡す。ＣＰＵ１３は、ＯＣＲ処理部１３ａからテキストコードを受け取ったとき、このテキストコードを或るサイズの或るフォントに変換し、ＯＳＤデータとしてＯＳＤ回路１２に供給する。【選択図】        図１
2006197420.tif 000002
【特許請求の範囲】
【請求項１】
放送波を受信して映像を生成する手段と、前記受信映像中のスーパーインポーズされている文字の認識を行う手段と、認識した文字を画像化する手段と、画像化された文字をディスプレイに表示する手段と、を備えたことを特徴とする放送受信装置。
【請求項２】
請求項１に記載の放送受信装置において、前記認識した文字のサイズを拡大して画像化することを特徴とする放送受信装置。
【請求項３】
請求項１又は請求項２に記載の放送受信装置において、前記認識した文字のサイズとフォントと文字色と文字画像表示領域の背景色の少なくとも一つがユーザ操作で変更されるように構成されたことを特徴とする放送受信装置。
【請求項４】
請求項１乃至請求項３のいずれかに記載の放送受信装置において、前記ディスプレイに受信映像が表示され、前記画像化された文字は、受信映像の文字が表示されていた領域上に重ねて表示されることを特徴とする放送受信装置。
【請求項５】
請求項１乃至請求項３のいずれかに記載の放送受信装置において、前記ディスプレイに受信映像が表示され、前記画像化された文字は、受信映像の表示領域に重ならないように表示されることを特徴とする放送受信装置。
【請求項６】
請求項１乃至請求項３に記載の放送受信装置において、前記画像化された文字が表示されるディスプレイは、受信映像が表示されるディスプレイとは別のサブディスプレイであることを特徴とする放送受信装置。
【請求項７】
請求項６に記載の放送受信装置において、前記サブディスプレイには画像拡大用のレンズが設けられていることを特徴とする放送受信装置。
【請求項８】
放送波を受信して映像を生成する手段と、前記受信映像中にスーパーインポーズされている文字の表示領域の画像拡大処理を行う手段と、受信映像が表示されるディスプレイ上に当該受信映像に重ならないように前記拡大された文字領域画像を表示する手段と、を備えたことを特徴とする放送受信装置。
【請求項９】
放送波を受信して映像を生成する手段と、前記受信映像中にスーパーインポーズされている文字の表示領域の画像拡大処理を行う手段と、受信映像が表示されるディスプレイとは別のサブディスプレイ上に前記拡大された文字領域画像を表示する手段と、を備えたことを特徴とする放送受信装置。
【請求項１０】
放送波を受信して映像を生成する手段と、前記受信映像中にスーパーインポーズされている文字の表示領域の画像抽出又は画像拡大処理を行う手段と、受信映像が表示されるディスプレイとは別の画像拡大用のレンズを備えたサブディスプレイ上に前記抽出又は拡大された文字領域画像を表示する手段と、を備えたことを特徴とする放送受信装置。
【請求項１１】
放送波を受信して映像を生成する手段と、前記受信映像中のスーパーインポーズされている文字の認識を行う手段と、認識した文字列を記憶する手段と、ネットワークを通じて通信を行う手段と、前記通信を行うときに前記文字列を送信する手段と、を備えたことを特徴とする放送受信装置。
【請求項１２】
請求項１１に記載の放送受信装置において、前記文字列が電子メールアドレスか又はネット上に存在するリソースへの到達方法を特定する表記であるかを自動判別するように構成されたことを特徴とする放送受信装置。
【請求項１３】
請求項１乃至請求項１２のいずれかに記載の放送受信装置において、前記文字認識、文字の表示領域の画像拡大処理、又は文字の表示領域の画像抽出処理の対象となる領域を、受信映像の中央以外の周辺領域としたことを特徴とする放送受信装置。
【請求項１４】
請求項１乃至請求項１３のいずれかに記載の放送受信装置において、受信映像中の文字の存在を、受信映像を構成しているドットの輝度変化に基づいて推定するように構成されたことを特徴とする放送受信装置。
【請求項１５】
請求項１４に記載の放送受信装置において、受信映像の複数フレーム間で対応ドットの輝度変化が無いことを条件として文字の存在を推定するように構成されたことを特徴とする放送受信装置。
【請求項１６】
請求項１乃至請求項１５のいずれかに記載の放送受信装置において、携帯型又は移動型として構成されたことを特徴とする放送受信装置。
【発明の詳細な説明】
【技術分野】
【０００１】
この発明は、テレビ放送を受信する放送受信装置に関する。
【背景技術】
【０００２】
ディジタルテレビ放送やアナログテレビ放送において、字幕スーパーなどを放送局側で放送映像にスーパーインポーズ（重畳）して放送することが行われる（特許文献１参照）。
【特許文献１】特開平９−８３８６８号公報
【発明の開示】
【発明が解決しようとする課題】
【０００３】
しかしながら、放送局側でスーパーインポーズされる文字のサイズが小さい場合には、受信映像上の文字が見づらいことがある。特に、近年においては、ＴＶ付き携帯電話など、小型の放送受信装置が提案されており、このような小型の放送受信装置の画面はとても小さいために、文字認識が一層しづらいものとなる。
【０００４】
この発明は、上記の事情に鑑み、放送局側でスーパーインポーズされた文字がディスプレイ上では小さくて見づらいといった不満等を解消することができる放送受信装置を提供することを目的とする。
【課題を解決するための手段】
【０００５】
この発明の放送受信装置は、上記課題を解決するために、放送波を受信して映像を生成する手段と、前記受信映像中のスーパーインポーズされている文字の認識を行う手段と、認識した文字を画像化する手段と、画像化された文字をディスプレイに表示する手段と、を備えたことを特徴とする。
【０００６】
上記の構成において、前記認識した文字のサイズを拡大して画像化するのがよいが、たとえ文字サイズの拡大がなされなくても、文字色や背景色等が適切に選択されることによって文字は見やすくなる。これら構成において、前記認識した文字のサイズとフォントと文字色と文字画像表示領域の背景色の少なくとも一つがユーザ操作で変更されるように構成されていてもよい。
【０００７】
これら構成の放送受信装置において、前記ディスプレイに受信映像が表示され、前記画像化された文字は、受信映像の文字が表示されていた領域上に重ねて表示されることとしてもよい。或いは、前記ディスプレイに受信映像が表示され、前記画像化された文字は、受信映像の表示領域に重ならないように表示されることとしてもよい。或いは、前記画像化された文字が表示されるディスプレイは、受信映像が表示されるディスプレイとは別のサブディスプレイであってもよい。前記サブディスプレイを備える場合、このサブディスプレイには画像拡大用のレンズが設けられていてもよい。
【０００８】
また、この発明の放送受信装置は、放送波を受信して映像を生成する手段と、前記受信映像中にスーパーインポーズされている文字の表示領域の画像拡大処理を行う手段と、受信映像が表示されるディスプレイ上に当該受信映像に重ならないように前記拡大された文字領域画像を表示する手段と、を備えたことを特徴とする。
【０００９】
また、この発明の放送受信装置は、放送波を受信して映像を生成する手段と、前記受信映像中にスーパーインポーズされている文字の表示領域の画像拡大処理を行う手段と、受信映像が表示されるディスプレイとは別のサブディスプレイ上に前記拡大された文字領域画像を表示する手段と、を備えたことを特徴とする。
【００１０】
また、この発明の放送受信装置は、放送波を受信して映像を生成する手段と、前記受信映像中にスーパーインポーズされている文字の表示領域の画像抽出又は画像拡大処理を行う手段と、受信映像が表示されるディスプレイとは別の画像拡大用のレンズを備えたサブディスプレイ上に前記抽出又は拡大された文字領域画像を表示する手段と、を備えたことを特徴とする。
【００１１】
また、この発明の放送受信装置は、放送波を受信して映像を生成する手段と、前記受信映像中のスーパーインポーズされている文字の認識を行う手段と、認識した文字列を記憶する手段と、ネットワークを通じて通信を行う手段と、前記通信を行うときに前記文字列を送信する手段と、を備えたことを特徴とする。
【００１２】
上記構成において、前記文字列が電子メールアドレスか又はネット上に存在するリソースへの到達方法を特定する表記であるかを自動判別するように構成されていてもよい。
【００１３】
これら構成の放送受信装置において、前記文字認識、文字の表示領域の画像拡大処理、又は文字の表示領域の画像抽出処理の対象となる領域を、受信映像の中央以外の周辺領域とするのがよい。
【００１４】
これら構成の放送受信装置において、受信映像中の文字の存在を、受信映像を構成しているドットの輝度変化に基づいて推定するように構成されていてもよい。かかる構成において、受信映像の複数フレーム間で対応ドットの輝度変化が無いことを条件として文字の存在を推定するように構成されていてもよい。
【００１５】
また、これら構成の放送受信装置は、地上放送を受信する携帯型又は移動型として構成されていてもよい。
【発明の効果】
【００１６】
この発明によれば、放送局側でスーパーインポーズされた文字がディスプレイ上では小さくて見づらいといった不満を解消することができる等の諸効果を奏する。
【発明を実施するための最良の形態】
【００１７】
以下、この発明の実施形態の放送受信装置を図１乃至図３に基づいて説明する。なお、ここでは、ＴＶ付き携帯電話として構成された地上ディジタル放送受信装置を例示している。
【００１８】
図１はＴＶ付き携帯電話１０を示したブロック図である。このＴＶ付き携帯電話１０は、電話機能部３０とディジタル放送受信部２０とを備えて成る。電話機能部３０は、制御部３１と、無線通信部３２と、音声処理部３３と、メモリ部３４と、キー入力部（操作部）３５と、表示部（例えば、液晶パネル）３６と、データ処理部３７とを備えて成る。通常の電話処理において受信した音声信号は音声処理部３３を介してスピーカ３８に与えられる一方、ユーザの発した音声はマイク３９にて音声信号となり、音声処理部３３で増幅等の処理がなされた音声信号は無線通信部３２によって送出される。データ処理部３７は受信したパケットに対する処理等を行う。無線通信部３２は、音声やデータの送受信処理、基地局６０との間での所定のプロトコル処理（送信時処理、受信時処理）を行う。制御部３１は電話機能部３０における全体制御を行うと共に、ディジタル放送受信部２０との間の連携のための処理を行う。例えば、基本的な処理として、キー入力部３５においてテレビ機能起動キーがＯＮ操作されたときには、ディジタル放送受信部２０にＯＮ指令を与え、ディジタル放送受信部２０から出力される映像を表示部３６に与える処理や、キー入力部３５のテンキーが操作されたときに、その番号をチャンネル番号とする選局指令をディジタル放送受信部２０に与える処理などを行う。
【００１９】
前記制御部３１はメール処理部やＷｅｂクライアント部としても機能する。無線通信部３２は、Ｗｅｂクライアント部の動作時の通信処理、メール通信動作時の通信処理などを行う。Ｗｅｂクライアント部として機能する制御部３１は、インターネット上に存在するリソースへの到達方法を特定する表記（ＵＲＬ等）を送信する処理、リソース側から送信されてくるファイルをメモリ部３４に格納する処理やファイルを解釈して表示画像データを生成する処理等を行う。メール送受信部として機能する制御部３１は、インターネット上のメールサーバからメールを受信したり、或いはメールサーバにメールアドレス及びメール文を送信する処理を行う。メールアドレス及びＵＲＬについては、ユーザの手入力ではなく、後述するＯＣＲ処理によって取得する場合もある。
【００２０】
次に、ディジタル放送受信部２０を図２に基づいて説明していく。地上アンテナ１は受信した信号を地上波ディジタルチューナ２に与える。地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００２１】
デマルチプレクサ（ＤＥＭＵＸ）３は、前記トランスポート・ストリームを、ＩＥＥＥにおけるＨ．２６４などのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号、リモートコントロールキーＩＤ）などに分離する。デマルチプレクサ３は、ビデオストリームとオーディオストリームをＡＶデコーダ４に供給し、ＰＳＩ／ＳＩや放送情報等（これら情報を番組情報という）をＣＰＵ１３に供給する。
【００２２】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは、フレームバッファメモリ（ＳＤＲＡＭ等）７に４フレーム分格納され、旧いフレームから順に読み出されて映像処理回路５に出力され、音声データは音声処理回路６に出力される。
【００２３】
映像処理回路５はフレームバッファメモリ７から映像データを受け取り、例えば、ＲＧＢデータを生成する。ＲＧＢデータは前記表示部（液晶パネル等）３６に与えられて映像表示がなされる。音声処理回路６はＡＶデコーダ４から出力された音声データを受け取ってＤ／Ａ変換を行い、例えば右（Ｒ）音のアナログ信号及び左（Ｌ）音のアナログ信号を生成する。これら音声信号はスピーカ３８又は通話用とは別に設けられた図示しないスピーカに供給される。
【００２４】
ＯＳＤ（オンスクリーンディスプレイ）回路１２は、ＣＰＵ１３から出力指示された文字情報や色情報に基づく映像データを加算器（この加算器は表示部３６における描画メモリ（ＶＲＡＭ）であってもよい）２０に出力する。加算器２０は前記映像データをフレームバッファメモリ７から出力される受信映像データに組み込む処理を行う。上記ＯＳＤ回路１２により、メニュー画面表示や後述するテキスト画像挿入表示などの処理が行えることになる。
【００２５】
メモリ（例えば、ＲＡＭ、ＥＥＰＲＯＭ、フラッシュメモリ等）１４には、チャンネルテーブル（周波数情報や放送局名等をリモートコントロールキーＩＤやチャンネル番号に対応させたチャンネルリスト）、放送波から取り出した番組情報などが格納される。
【００２６】
ＯＣＲ処理部１３ａは、スーパーインポーズ領域判定処理及びスーパーインポーズされた文字の認識処理を行う。これら処理を以下に具体的に述べていく。通常、放送局側では文字（字幕や案内文）を画像の上辺、下辺、右辺、或いは左辺といった周辺領域に挿入する（画像の中央領域に挿入することは殆どない）。また、文字の輝度は一般に高いという性質がある。
【００２７】
ここで、受信したディジタル画像を２４０（横）×３２０（縦）ドットとすると、４フレーム分の画像データがバッファリングされるようにフレームバッファメモリ７の容量を４８０×６４０ドットとする。また、表示部３６における描画メモリを２４０×３４０（３２０＋２０）ドットとする。そして、スーパーインポーズ領域判定処理では、各画像データについてその周辺２０ドット幅で、ドット間の輝度差や一定輝度以上のドットの集まり具合などを検出する。文字が存在する場合には、ドット間で大きな輝度差を生じる箇所が多くなり、また、一定輝度以上のドットは、分散的ではなく、隣接して存在することが多くなると考えられる。そして、このような文字存在を示す傾向が４フレーム連続で同じ位置で検出されれば、概ね文字が存在していると推定することができる。
【００２８】
ＯＣＲ処理部１３ａは、文字が存在すると推定した周辺領域に対して光学的文字認識処理を行う。この文字認識処理自体については、既存のアルゴリズムを用いればよい。ここで、文字の認識ができなかった割合が或る基準値よりも多かった場合には、テキスト（文字）無しとして処理する。基準値を上回るときには、テキスト（文字）有りと判断し、生成したテキスト（文字）コードをＣＰＵ１３に渡す。
【００２９】
ＣＰＵ１３は、外部入出力インターフェイス９を介して電話機能部３０と情報の遣り取りを行う。また、ＣＰＵ１３は、この発明にかかわる処理として、前記ＯＣＲ処理部１３ａからテキストコードを受け取ったとき、このテキストコードを或るサイズの或るフォントに変換し、ＯＳＤデータとしてＯＳＤ回路１２に供給する。ＯＳＤ回路１２は２４０×２０ドットの領域内に前記フォントによる文字を存在させるように画像データを生成し、これを例えば受信映像（２４０×３２０）の下に表示する。
【００３０】
図３はＴＶ付き携帯電話のテキスト出力処理を示したフローチャートである。ディジタル放送受信部２０は、２４０×３２０ドットの映像データ（ディジタルテレビ映像：３０フレーム／秒）を生成し（ステップＳ１）、４画像分の領域を持つフレームバッファメモリ７に映像データを順次格納していく（ステップＳ２）。４画像分が格納されると（ステップＳ３でＹＥＳ）、受信映像出力処理及びテキスト判定・ＯＣＲ処理を並行して行う。受信映像出力においては、最初の画像（２４０×３２０ドット）から順に描画メモリへ転送する（ステップＳ４）。一方、テキスト判定・ＯＣＲ処理として、４フレーム画像の周辺コントラストを２０ドット幅で比較し（ステップＳ５）、文字の存在を推定する（ステップＳ６）。文字が存在しないと推定した場合はブランク画像（２４０×２０ドット）を作成する（ステップＳ７）。文字が存在すると推定した場合には（ステップＳ６でＹＥＳ）、その領域に対してＯＣＲ処理を行い（ステップＳ８）、テキストコードを生成できたかどうかを判断する（ステップＳ９）。テキストコードを生成できなかった場合にはステップＳ７に進む。テキストコードを生成できた場合にはテキストコードをフォント変換部に出力し（ステップＳ１０）、フォント変換を行い（ステップＳ１１）、テキストデータ画像（２４０×２０ドット）を作成する（ステップＳ１２）。そして、ステップＳ７又はステップＳ１２で作成したテキストデータ画像又はブランク画像（２４０×２０ドット）を描画メモリへ転送する（ステップＳ１３）。そして、受信映像にテキストデータ画像（又はブランク画像）を重畳して２４０×３４０ドットの画像を生成し（ステップＳ１４）、この画像を表示部に表示する（ステップＳ１５）。  
【００３１】
なお、ＴＶ付き携帯電話においては、横画面表示と縦画面表示の両方が行えるように構成することができる。縦画面表示では、画面全体を使って受信映像を表示するのではなく、受信映像の表示部分の上側或いは下側の領域に余白的な領域が形成される。そこで、上述のごとく、余白的な領域にテキストデータ画像を表示する（受信映像の領域を浸食しない）ようにするのがよい。一方、横画面表示においては、画面全体に受信映像を表示することが多く、この場合は、テキストデータ画像を受信映像のスーパーインポーズ部分に描画してもよい（受信映像の領域を浸食する）。勿論、横画面表示においても、受信映像を画面一杯に表示せずに、Ｌ型等の余白的領域を形成し（図示しないスケーラによって受信映像の縮小処理を行う）、この余白的領域にテキストデータ画像を表示することとしてもよい。また、文字サイズ、文字フォント、文字色、文字画像表示領域の背景色は固定とせずに、これらの少なくとも一つをユーザ操作（例えば、キー入力部３５のキー操作等）で変更できるようにしてもよい。元の文字サイズと同等のサイズでテキストデータ画像を表示する場合であっても、文字色と背景色の適切な選択やフォント変更等によって文字が見やすくなる場合がある。文字のサイズを大きくしたことで全テキストが画面内に納まらなくなったときには、自動スクロール表示（一定速度で文字の表示位置を数ドット移動させる等の処理）、或いは手動スクロール表示（キー操作が行われる度に文字の表示位置を数ドット移動させる等の処理）が行えるようにするのがよい。また、テキストデータの表示は受信映像を表示する表示部とは異なる別のサブ表示部（例えば、メッセージ等を表示する補助的な白黒液晶パネル等）に表示してもよい。テキストデータの表示が元の文字のサイズと同等であるとしても、例えば、前記サブ表示部にレンズを設けておくことにより、光学的に拡大された文字を利用者は見ることができる。
【００３２】
また、上記の実施例では、文字が存在すると推定した場合にその領域に対してＯＣＲ処理を行うこととしたが、これに限らず、文字が存在すると推定した場合にその領域を拡大処理（画素補間等）するようにしてもよい。拡大処理した画像部分は、受信映像の領域を浸食しない形態で受信映像を表示する表示部に表示するのがよい。また、拡大処理した画像部分をレンズが設けられたサブ表示部に表示することとしてもよい。また、このようにサブ表示部にレンズが設けられているのであれば、文字が存在すると推定した領域を単に切り出して拡大せずに前記サブ表示部に表示してもよい。
【００３３】
一方、上述したＯＣＲ処理を行うこととした場合には、文字を見やすくするといった効果の他、ＯＣＲ処理で得られた文字列を活用できるという利点がある。すなわち、放送局側で電子メールアドレスやＵＲＬ（uniform resource locator）などの文字列を映像にスーパーインポーズして送信した場合に、ディジタル放送受信部２０において前記文字列をデータとして取得することができ、このディジタル放送受信部２０から前記制御部３１に前記文字列をデータ（電子メールアドレスやＵＲＬ）を供給することができる。前記制御部３１は、先述したごとく、メール処理部やＷｅｂクライアント部としても機能し、前記受け取った電子メールアドレスやＵＲＬを用いた処理を行う。すなわち、ユーザが電子メールアドレスやＵＲＬを一々手入力する手間が省けることになる。なお、文字列中に「＠」マークの存在を検出したときには、当該文字列はメールアドレスであると判断し、文字列中に「ｈｔｔｐ：／／」といった文字列の存在を検出したときには、当該文字列はＵＲＬであると判断する処理を制御部３１において自動的に行うことができる。自動判断後には、例えば、メールアドレスであればメールアドレスリストに登録し、ＵＲＬであればＵＲＬリストに登録することとしてもよい。
【００３４】
また、上記の例では、ＴＶ付き携帯電話として説明したが、携帯型或いは移動型のディジタル放送受信装置として構成してもよい。また、携帯型或いは移動型に限らず、据え置き型のディジタル放送受信装置としてもよい。また、地上波ディジタル放送に限らず、衛星（ＣＳ／ＢＳ）ディジタル放送の受信装置としても構成できる。なお、スーパーインポーズされた文字の見やすさは、携帯型或いは移動型の地上波ディジタル放送受信装置において問題となり易いので、このような構成において本願発明の利点がより発揮される。また、上記実施例ではディジタル放送を受信する構成を示したが、アナログテレビ放送を受信する構成においてもこの発明を適用することができる。
【図面の簡単な説明】
【００３５】
【図１】この発明の実施形態のＴＶ付き携帯電話を示したブロック図である。
【図２】この発明の実施形態のＴＶ付き携帯電話の放送受信部を示したブロック図である。
【図３】この発明の実施形態の処理内容を示したフローチャートである。
【符号の説明】
【００３６】
１０    携帯電話
１３ａ  ＯＣＲ処理部
２０    ディジタル放送受信部
３０    電話機能部
３１    制御部
３２    無線通信部
【図１】
2006197420.tif 000003
【図２】
2006197420.tif 000004
【図３】
2006197420.tif 000005